(57)【要約】【課題】本発明は、風によって飛ばされない食器を提供することを目的とする。【解決手段】変形自在食器１であって、主要部を構成する食器本体１Ａと、この食器本体１Ａの周囲を構成する周囲部１Ｂとを備え、周囲部１Ｂの外縁は、変形によって主要部１Ａの底面１Ａ１と同等あるいは底面１Ａ１よりも低い位置となる。【選択図】  図２
2018079165.tif 000002
【特許請求の範囲】
【請求項１】
変形自在食器であって、
主要部を構成する食器本体と、この食器本体の周囲に形成される周囲部とを備え、
前記周囲部の外縁は、変形によって前記主要部の底面と同等あるいは前記底面よりも低い位置となる、変形自在食器。
【請求項２】
請求項１に記載の変形自在食器であって、前記食器本体と前記周囲部との境界には、前記食器本体に対して前記周囲部を折り曲げ易くするための折り目またはミシン目が形成されている、変形自在食器。
【請求項３】
請求項１または請求項２に記載の変形自在食器であって、前記周囲部はリング状に形成され、前記周囲部には複数の放射状のミシン目が形成されている、変形自在食器。
【請求項４】
請求項１から請求項３のいずれか一項に記載の変形自在食器であって、前記周囲部の少なくとも一部は、前記ミシン目によって切欠きを形成することができる、変形自在食器。
【発明の詳細な説明】
【技術分野】
【０００１】
本発明は、野外などで用いる変形自在食器に関する。
【背景技術】
【０００２】
従来、野外でのバーベキューなどに用いる食器には、薄い紙製のものやプラスチック製のものがあった。これらの食器は、例えば円形の平面形状を有しており、食器本体が略平坦で、食器本体の周囲には斜め上方に向かって延びる周囲部が設けられていた。このため、食器本体で食べ物を保持すると共に、周囲部によって食べ物がこぼれてしまうのを防止することができた。
【発明の概要】
【発明が解決しようとする課題】
【０００３】
ところで、紙製やプラスチック製の食器は、それ自体がとても軽量である。このため、食器をテーブルに置いた状態で風が吹くと、周囲部とテーブルとの間に風が入り込み、食器が風で飛ばされてしまう。このことは、食器に載せられている食べ物が軽いもの（例えば、ポップコーンやキャンディーなど）である場合も同様である。本発明は、野外で使う軽量な食器であっても、風で飛ばされることのない、新規な変形自在食器を提供することを目的とする。
【課題を解決するための手段】
【０００４】
本発明の第１手段は、変形自在食器であって、主要部を構成する食器本体と、この食器本体の周囲に形成される周囲部とを備え、周囲部の外縁は、変形によって主要部の底面と同等あるいは底面よりも低い位置となる、という構成を採っている。
【０００５】
第２手段は、第１手段の構成に加え、食器本体と周囲部との境界には、食器本体に対して周囲部を折り曲げ易くするための折り目またはミシン目が形成されている、という構成を採っている。
【０００６】
第３手段は、第１手段または第２手段の構成に加え、周囲部はリング状に形成され、周囲部には複数の放射状のミシン目が形成されている、という構成を採っている。
【０００７】
第４手段は、第１手段から第３手段のいずれかの構成に加え、周囲部の少なくとも一部は、ミシン目によって切欠きを形成することができる、という構成を採っている。
【発明の効果】
【０００８】
本発明の変形自在食器は、野外などで風が吹いた場合でも、変形可能食器の周囲部を下方に折り曲げることができる。このため、変形自在食器の下に風が入るのを抑えられ、変形自在食器が風で飛ばされるのを防止することができる。
【図面の簡単な説明】
【０００９】
【図１】図１（Ａ）は、本発明の一実施形態に係る変形自在食器の平面図であり、図１（Ｂ）は側面図であり、図１（Ｃ）は図１（Ａ）のＣ−Ｃ線における断面図である。
【図２】図２（Ａ）は、変形自在食器の通常の形態を示す断面図であり、図２（Ｂ）は変形自在食器の周囲部を下方に折り曲げた状態を示す断面図である。
【図３】図１に開示した変形自在食器の周囲部の一部に、ミシン目によって切欠きを形成した状態を示す側面図である。
【図４】図１に開示した変形自在食器の周囲部を下方に折り曲げた状態を示す斜視図である。
【発明を実施するための形態】
【００１０】
本発明の変形自在食器に係る一実施形態を、以下説明する。なお、各実施形態において、共通する部分は同じ符号を付し、重複する説明は適宜省略する。
【００１１】
本発明の一実施形態に係る変形自在食器１について、図１を参照して説明する。図１（Ａ）に示すように、変形自在食器１は、平面形状が略円形の食器本体１Ａと、この食器本体１Ａの周囲に設けられる円環状の周囲部１Ｂとを備えている。本実施形態の変形自在食器１では、食器本体１Ａと周囲部１Ｂとは一体的に形成されている。変形自在食器１は、軽量な紙やプラスチックなどの材料で構成されている。なお、変形自在食器１の平面形状は円形に限定されるものではなく、三角形や四角形等の多角形でも良いし、楕円形のようなものであってもよい。
【００１２】
図１（Ｂ）及び図１（Ｃ）に示すように、食器本体１Ａは平坦な底部１Ａ１と、この底部１Ａ１の周囲から上方に向かって立ち上がる立上部１Ａ２とを備えている。立上部１Ａ２の周縁からは、周囲部１Ｂが延設されている。この周囲部１Ｂは、立上部１Ａ２の上端から斜め上方に向かって延びている。但し、周囲部１Ｂが水平や下方に向かって延びるものにも本発明を適用することができる。
【００１３】
食器本体１Ａと周囲部１Ｂとの境界には、折り目３が形成されている。この折り目３は、食器本体１Ａに対して周囲部１Ｂを折り曲げ易くするためのものである。本実施形態の折り目３は、型押しなどによって材料の厚さを薄くすることによって形成されているが、ミシン目などによって、剛性を低下させるようのものでもよい。
【００１４】
周囲部１Ｂには、放射状のミシン目５が形成されている。本実施形態では、合計で３６本のミシン目５が形成されている。このため、隣接する２本のミシン目５で挟まれる角度は略１０°である。周囲部１Ｂは、ミシン目５に沿って裂くことが可能である。このため、隣接する２本のミシン目５に沿って周囲部１Ｂを裂くことで、周囲部１Ｂに切欠き７を形成することが可能である（図３参照）。なお、１本飛ばした２本のミシン目５を裂くことで、角度にして略２０°の切欠き７を形成することも可能である。切欠き７を形成することで、変形自在食器１が持ちやすくなる。また、切欠き７を形成する際には、周囲部１Ｂの一部を除去する場合の他、周囲部１Ｂの一部が食器本体１Ａに繋がったままにしてもよい。
【００１５】
［作用］
次に、図２に基づいて、本実施形態の変形自在食器１の作用について説明する。図２（Ａ）に示すように、食べ物Ｆは食器本体１Ａに載せられる。仮に、食器本体１Ａに入りきらない食べ物Ｆが載せられた場合でも、周囲部１Ｂによって食べ物Ｆが外部にこぼれるのが防止される。このような状態で風が吹くと、変形自在食器１とテーブルＴとの間に風が入り込み、変形自在食器１が風で飛ばされてしまう。
【００１６】
一方、図２（Ｂ）は、変形自在食器１の周囲部１Ｂが下方に折り曲げられた状態を示している。この図において、周囲部の外縁は、食器本体１Ａの底面１Ａ１よりも低い位置になり、テーブルＴに接触する。このように、周囲部１Ｂの外縁がテーブルＴに接触することで、変形自在食器１とテーブルＴとの間に風Ｗが入り込まなくなる。このため、風Ｗは変形自在食器１の上方を流れることになり、変形自在食器１にはテーブルＴに押しつけられる力が働く。これにより、変形自在食器１は風Ｗで飛ばされなくなる。
【００１７】
図４は、切欠き７が形成された変形自在食器１について、周囲部１Ｂを下方に折り曲げた状態を示している。このように、切欠き７が形成されている場合でも、変形自在食器１の周囲部１Ｂの外縁はテーブルＴに接触するので、変形自在食器１とテーブルＴとの間に入り込む風の量を抑えることができる。
【符号の説明】
【００１８】
１  変形自在食器
１Ａ  食器本体
１Ａ１  底面
１Ａ２  立上部
１Ｂ  周囲部
３  折り目
５  ミシン目
７  切欠き
Ｆ  食べ物
Ｔ  テーブル
Ｗ  風
【図１】
2018079165.tif 000003
【図２】
2018079165.tif 000004
【図３】
2018079165.tif 000005
【図４】
2018079165.tif 000006